(57)【要約】      （修正有）【課題】紙幣盗難防止装置の提供。【解決手段】紙幣受領機１と紙幣受領器内に枢設された盗難防止装置２で組成され、且つ紙幣受領機の上ベース１１と下ベース１２間に紙幣通路１３が設けられ、並びに上ベース両側の位置決め片１１２間に軸方向に回転可能な盗難防止装置が枢設され、且つ盗難防止装置の基部の底縁に下ベースの係止溝１２２を係止する複数の盗難防止フック２１１が延設され、紙幣５が紙幣通路に進入する時、盗難防止装置の盗難防止フックが下ベースの係止溝より離脱し、これにより紙幣通路を開放状態となし並びに紙幣を順調に通過させ、且つ紙幣が盗難防止フックを通過後に、盗難防止装置は自動的にもとの位置に回復し、並びに盗難防止フックが下ベースの係止溝内に係合し、これにより紙幣通路を閉鎖状態となす。【選択図】図３
0003103902.tif 000002
【実用新案登録請求の範囲】
【請求項１】
紙幣受領機と紙幣受領器内に枢設された盗難防止装置で組成され、該紙幣受領機に上ベースと下ベースが設けられ、該上ベースと下ベース間に紙幣通路が形成され、上ベースの両側前縁より位置決め片が延伸され、下ベースの中央に複数の係止溝が設けられ、該盗難防止装置は基部を具え、該基部が上ベースの両側の位置決め片間に枢設され、該基部の底縁より複数の盗難防止フックが延設され、該盗難防止フックが下ベースの複数の係止溝内に活動可能に係止されると共に紙幣通路をブロックするように形成されたことを特徴とする、紙幣盗難防止装置。
【請求項２】
請求項１記載の紙幣盗難防止装置において、上ベースの位置決め片に貫通孔が設けられ、盗難防止装置の基部の両側にも貫通孔が設けられ、枢設手段により位置決め片の貫通孔及び基部の貫通孔が枢設され位置決めが形成されたことを特徴とする、紙幣盗難防止装置。
【請求項３】
請求項１記載の紙幣盗難防止装置において、盗難防止装置の基部の上面にウエイトブロックが延設されたことを特徴とする、紙幣盗難防止装置。
【請求項４】
請求項１記載の紙幣盗難防止装置において、盗難防止装置の盗難防止フックが円弧形尖錐状を呈することを特徴とする、紙幣盗難防止装置。
【請求項５】
請求項１記載の紙幣盗難防止装置において、紙幣受領機の下ベースにローラシートが設けられ、該ローラシートに第１ローラセットと第２ローラセットが枢設されたことを特徴とする、紙幣盗難防止装置。
【請求項６】
請求項５記載の紙幣盗難防止装置において、第１ローラセットと第２ローラセットが相互に接触することを特徴とする、紙幣盗難防止装置。
【請求項７】
請求項５記載の紙幣盗難防止装置において、第１ローラセットと第２ローラセットがゴムで形成されたことを特徴とする、紙幣盗難防止装置。
【請求項８】
請求項１記載の紙幣盗難防止装置において、上ベースの両側壁面に凸柱が設けられ、下ベースの両側壁面に該凸柱に対応する嵌め溝が設けられ、該凸柱が嵌め溝内に嵌合されて上ベースと下ベースが相互に位置決めされたことを特徴とする、紙幣盗難防止装置。
【考案の詳細な説明】
【技術分野】
【０００１】
本考案は一種の紙幣盗難防止装置に係り、特に、紙幣受領機の上ベース両側の位置決め片間に複数の盗難防止フックが枢設され、且つ盗難防止フックが下ベースの複数の係止溝内に係合して紙幣通路をブロックし、紙幣通路を封鎖状態とすることができる、紙幣盗難防止装置に関する。
【背景技術】
【０００２】
現代社会はテクノロジーが発達し、多くの公共の場所で便利性と迅速性を重視して自動販売機（カード販売機、チケット販売機、或いは両替機等）が設置されている。上述の自動販売機は大幅に人件費を削減できるほか、使用時の便利性が現代人に歓迎されている。しかし、一般に自動販売機は設置後に、作業員が定期に補給するのを除き、他の時間は無人で監視されず、ゆえにこの空白期間に各種の方法或いは工具を用いて内部の紙幣が盗まれることが多い。図６は周知の技術の側面断面図であり、この図に明らかなように、周知の紙幣受領機はフレームケースＡを具え、このフレームケースＡの一側に紙幣の進入に供される受領口Ａ１が設けられ、且つフレームケースＡ内の紙幣通路の上方と下方に紙幣識別装置用の基板Ｂと伝動装置Ｃが設けられ、並びに通路出口Ａ２部分に盗難防止歯板Ｄが設けられ、紙幣が受領口Ａ１より進入後に、泥棒により引き出されて重複使用されるのを防止している。しかし、紙幣は軟性材質であり、強く引き出される時、紙幣は厳重に破損し、このため紙幣受領機が続けて動作不能となり、且つどろぼうが硬い材料（例えばスチールワイヤや金属板等）で紙幣を引き出す時、その盗難防止機能は有効に働かない。ゆえに、盗難防止装置の構造に新たな設計による盗難防止効果の強化が望まれる。
【考案の開示】
【考案が解決しようとする課題】
【０００３】
本考案は上述の周知の技術の欠点と不足を鑑み、それを改善すべく提供されるものである。即ち、本考案の主要な目的は、一種の紙幣盗難防止装置を提供することにあり、それは、上ベースの両側の位置決め片間に複数の盗難防止フックが枢設され、且つ盗難防止フックが下ベースの複数の係止溝内に係止され並びに紙幣通路をブロックして紙幣通路を封鎖状態となすことができるものとされる。
【０００４】
本考案の次の目的は、一種の紙幣盗難防止装置を提供することにあり、それは、紙幣が紙幣通路に進入し並びに盗難防止フックに係合する時、盗難防止フックが下ベースとの係合より離脱し、これにより紙幣通路を開放状態となし、並びに紙幣を順調に通過させ、且つ紙幣が盗難防止フックを通過した後、盗難防止装置は自動的にもとの位置に回復し、並びに盗難防止フックが下ベースの係止溝内に係合し、これにより有効に泥棒が紙幣に粘着させた縄、テープ、スチールワイヤ或いは金属板等を介して紙幣を引き出して重複使用するのを防止したものされる。
【課題を解決するための手段】
【０００５】
請求項１の考案は、紙幣受領機と紙幣受領器内に枢設された盗難防止装置で組成され、該紙幣受領機に上ベースと下ベースが設けられ、該上ベースと下ベース間に紙幣通路が形成され、上ベースの両側前縁より位置決め片が延伸され、下ベースの中央に複数の係止溝が設けられ、該盗難防止装置は基部を具え、該基部が上ベースの両側の位置決め片間に枢設され、該基部の底縁より複数の盗難防止フックが延設され、該盗難防止フックが下ベースの複数の係止溝内に活動可能に係止されると共に紙幣通路をブロックするように形成されたことを特徴とする、紙幣盗難防止装置。
請求項２の考案は、請求項１記載の紙幣盗難防止装置において、上ベースの位置決め片に貫通孔が設けられ、盗難防止装置の基部の両側にも貫通孔が設けられ、枢設手段により位置決め片の貫通孔及び基部の貫通孔が枢設され位置決めが形成されたことを特徴とする、紙幣盗難防止装置としている。
請求項３の考案は、請求項１記載の紙幣盗難防止装置において、盗難防止装置の基部の上面にウエイトブロックが延設されたことを特徴とする、紙幣盗難防止装置としている。
請求項４の考案は、請求項１記載の紙幣盗難防止装置において、盗難防止装置の盗難防止フックが円弧形尖錐状を呈することを特徴とする、紙幣盗難防止装置としている。
請求項５の考案は、請求項１記載の紙幣盗難防止装置において、紙幣受領機の下ベースにローラシートが設けられ、該ローラシートに第１ローラセットと第２ローラセットが枢設されたことを特徴とする、紙幣盗難防止装置としている。
請求項６の考案は、請求項５記載の紙幣盗難防止装置において、第１ローラセットと第２ローラセットが相互に接触することを特徴とする、紙幣盗難防止装置としている。
請求項７の考案は、請求項５記載の紙幣盗難防止装置において、第１ローラセットと第２ローラセットがゴムで形成されたことを特徴とする、紙幣盗難防止装置としている。
請求項８の考案は、請求項１記載の紙幣盗難防止装置において、上ベースの両側壁面に凸柱が設けられ、下ベースの両側壁面に該凸柱に対応する嵌め溝が設けられ、該凸柱が嵌め溝内に嵌合されて上ベースと下ベースが相互に位置決めされたことを特徴とする、紙幣盗難防止装置としている。
【考案の効果】
【０００６】
本考案の紙幣盗難防止装置は、紙幣受領機と紙幣受領器内に枢設された盗難防止装置で組成され、且つ紙幣受領機の上ベースと下ベース間に紙幣通路が設けられ、並びに上ベース両側の位置決め片間に軸方向に回転可能な盗難防止装置が枢設され、且つ盗難防止装置の基部の底縁に下ベースの係止溝を係止する複数の盗難防止フックが延設され、紙幣が紙幣通路に進入する時、盗難防止装置の盗難防止フックが下ベースの係止溝より離脱し、これにより紙幣通路を開放状態となし並びに紙幣を順調に通過させ、且つ紙幣が盗難防止フックを通過後に、盗難防止装置は自動的にもとの位置に回復し、並びに盗難防止フックが下ベースの係止溝内に係合し、これにより紙幣通路を閉鎖状態となし、これにより泥棒が紙幣に接着したロープ、ゴムテープ、スチールワイヤ或いは金属板を利用して紙幣を引き出して重複使用するのを防止する。
【考案を実施するための最良の形態】
【０００７】
図１、２は本考案の立体外観図及び立体分解図である。本考案は紙幣受領機１と紙幣受領機１内に枢設された盗難防止装置２で組成されている。
【０００８】
該紙幣受領機１は上ベース１１と下ベース１２を具え、且つ上ベース１１の両側壁面に凸柱１１１が設けられ、下ベース１２の両側壁面に該凸柱１１１に対応する嵌め溝１２１が設けられ、上ベース１１の凸柱１１１が下ベース１２の嵌め溝１２１内に位置決めされ、これにより上ベース１１と下ベース１２間に紙幣通路１３が形成されている。さらに、上ベース１１の両側壁面前縁より貫通孔１１２１を具えた位置決め片１１２が延伸され、下ベース１２の中央に複数の係止溝１２２が設けられている。
【０００９】
該盗難防止装置２は基部２１を具え、該基部２１の底縁より円弧形尖錐状を呈する複数の盗難防止フック２１１が延伸され、且つ上述の基部２１の上面にウエイトブロック２１２が凸設され、並びに基部２１の両側に貫通孔２１３が設けられている。
【００１０】
以上の構成部品が組み立てられる時、盗難防止装置２は上ベース１１の両側の位置決め片１１２の間に置かれ、並びに枢設手段３を利用して位置決め片１１２の貫通孔１１２１及び基部２１の貫通孔２１３内に位置決めされ、これにより盗難防止装置２が枢設手段３を中心として設定角度の回転可能とされる。
【００１１】
さらに、上述の紙幣受領機１の下ベース１２にはローラシート４が接続され、並びにローラシート４にゴム材料で形成された第１ローラセット４１と第２ローラセット４２が枢設され、且つローラシート４の第１ローラセット４１及び第２ローラセット４２は相互に接触し、並びに紙幣通路１３の出口部分に位置する。
【００１２】
続いて図３、４、５の本考案の紙幣の紙幣受領機に進入前の側面断面図、紙幣の紙幣受領機進入時の側面断面図、及び紙幣の紙幣受領機進入後の側面断面図を参照されたい。紙幣受領機１が未使用の時、該盗難防止装置２はウエイトブロック２１２の重力作用により、盗難防止装置２の盗難防止フック２１１が下ベース１２の係止溝１２２内に係止され、並びに紙幣通路１３をブロックし、紙幣通路１３を封鎖状態としている。続いて紙幣５が紙幣受領機１の紙幣通路１３内に進入し、紙幣５の前端が盗難防止フック２１１の円弧面に当接し、さらに紙幣５前縁が盗難防止フック２１１の円弧面を押圧して盗難防止装置２の盗難防止フック２１１をある角度回転させ並びに下ベース１２の係止溝１２２を離脱させると、紙幣通路１３が紙幣５を通過させられる間隙を形成する。このとき、泥棒が紙幣５に粘着させたロープやゴムテープ、スチールワイヤ或いは金属板等を利用し紙幣５を引っ張りだそうとしても、上述の盗難防止装置２の盗難防止フック２１１が紙幣５の活動を制限して、ロープ、ゴムテープ、スチールワイヤ或いは金属板等を盗難防止フック２１１により切断し、続いて紙幣５が順調に通過した後、盗難防止装置２がウエイトブロック２１２の重力の影響により、自動的にもとの位置に回復し、並びに盗難防止フック２１１を下ベース１２の係止溝１２２内に係止し、且つ紙幣通路１３をブロックさせて紙幣通路１３を封鎖状態となすことにより、泥棒がロープ、ゴムテープ、スチールワイヤ或いは金属板等で紙幣通路１３より紙幣５を引き抜くのを防止する。
【００１３】
以上は本考案の好ましい実施例の説明であり、本考案の実施範囲を限定するものではなく、本考案に基づきなしうる細部の修飾或いは改変は、いずれも本考案の請求範囲に属するものとする。
【図面の簡単な説明】
【００１４】
【図１】本考案の立体外観図である。
【図２】本考案の立体分解図である。
【図３】本考案の紙幣の紙幣受領機に進入前の側面断面図である。
【図４】本考案の紙幣の紙幣受領機に進入時の側面断面図である。
【図５】本考案の紙幣の紙幣受領機に進入後の側面断面図である。
【図６】周知の技術の側面断面図である。
【符号の説明】
【００１５】
１  紙幣受領機
１１  上ベース                          １２  下ベース
１１１  凸柱                            １２１  嵌め溝
１１２  位置決め片                      １２２  係止溝
１１２１  貫通孔                        １３  紙幣通路
２  盗難防止装置
２１  基部                              ２１２  ウエイトブロック
２１１  盗難防止フック                  ２１３  貫通孔
３  枢設手段
４  ローラシート
４１  第１ローラセット                  ４２  第２ローラセット
５  紙幣
Ａ  フレームケース
Ａ１  受領口                            Ａ２  通路出口
Ｂ  基板
Ｃ  伝動装置
Ｄ  盗難防止歯板
【図１】
0003103902.tif 000003
【図２】
0003103902.tif 000004
【図３】
0003103902.tif 000005
【図４】
0003103902.tif 000006
【図５】
0003103902.tif 000007
【図６】
0003103902.tif 000008